(57)【要約】【課題】デジタルカメラやカメラ付きスマートフォンを用いて、液晶画面を見ながら写真や動画を撮影する際に、より確実に手ぶれを抑制できるようにすることを課題とする。【解決手段】カメラ保持具として、カメラを支持する台であるカメラ台（１０）と、二本の棒体からなる支持棒（２０）であって、それぞれの下端側に使用者の腰近傍に固定する腰固定手段（３０）が設けられ、上端は共に前記カメラ台（１０）に固定される支持俸（２０）とから構成する。【選択図】図１
2020122952.tif 000002
【特許請求の範囲】
【請求項１】
カメラを支持する台であるカメラ台と、
二本の棒体からなる支持棒であって、それぞれの棒体の下端側に使用者の腰近傍に固定する腰固定手段が設けられ、棒体の上端は共に前記カメラ台に固定される支持棒と
を有するカメラ保持具。
【請求項２】
前記棒体は畳むことが可能に形成される請求項１に記載のカメラ保持具。
【請求項３】
前記棒体はパイプ体と当該パイプ体の内側に挿入される棒である挿入体を有し、挿入体がパイプ体に入ることで畳むことが可能に形成される請求項２に記載のカメラ保持具。
【請求項４】
前記棒体は途中で分断され、分断箇所の対向するそれぞれが互いに折り畳み可能に接合されることで折って畳むことが可能に形成される請求項２または３に記載のカメラ保持具。
【請求項５】
前記接合部は伸びる弾性体によって連結されることで折り畳み可能に接合される請求項４に記載のカメラ保持具。
【請求項６】
前記分断箇所の対向するそれぞれに、互いに折れ曲がらないように係合し合う係合部材と被係合部材が設けられる請求項４または５に記載のカメラ保持具。
【請求項７】
前記カメラ台に使用者の首にかけるネックストラップが設けられる請求項１から６のいずれか１項に記載のカメラ保持具。
【請求項８】
前記腰固定手段は、使用者のベルト及び／又はズボンの上部開口縁を挟んで固定するものである請求項１から７のいずれか１項に記載のカメラ保持具。
【請求項９】
前記腰固定手段は、使用者のズボンのベルト通しに挿入することで固定するものである請求項１から７のいずれか１項に記載のカメラ保持具。
【請求項１０】
前記腰固定手段は、使用者のベルト及び／又はズボンの上部開口縁に形成される穴に挿入することで固定するものである請求項１から７のいずれか１項に記載のカメラ保持具。
【請求項１１】
前記カメラ台は雲台である請求項１から１０のいずれか１項に記載のカメラ保持具。
【請求項１２】
前記雲台は自由雲台である請求項１１に記載のカメラ保持具。
【発明の詳細な説明】
【技術分野】
【０００１】  本発明は、カメラを撮影者が保持して撮影する場合において、手ぶれを抑えることができる器具に関する。なお、カメラにはカメラ付きのスマートフォンや携帯電話、タブレットコンピューターが含まれる。
【背景技術】
【０００２】  ファインダーの無いデジタルカメラやカメラの付いたスマートフォンで写真を撮る場合、液晶画面を見ながら写真を撮ることになるので、カメラが顔から離れ腕のみでカメラを支持しなければならず、手ぶれが生じやすくなる。
このような問題に対応する器具として、図１３に示すようにカメラを保持する一脚Ｏを首からぶら下げた器具Ｈで支える物が存在する。このような器具Ｈを用いると、カメラと一脚の重さを首で支えることができ、手は一脚の揺れを抑えるだけでよくなるので、手ぶれを抑制することができる。
【発明の概要】
【発明が解決しようとする課題】
【０００３】  しかしながら、図１３に示すような器具Ｈは、一脚Ｏを下端一点で支持するので、カメラ位置における左右のぶれを抑えることができず、また、全体が揺れることで一脚Ｏ自体が揺れることによるぶれも生じやすい。
本発明は、このような問題に鑑みて、液晶画面を見ながら写真や動画を撮影する際に、より確実に手ぶれを抑制できるようにすることを課題とする。
【課題を解決するための手段】
【０００４】  上記課題を解決するために、本発明は次のような構成を有する。
請求項１に記載の発明は、カメラを支持する台であるカメラ台と、二本の棒体からなる支持棒であって、それぞれの棒体の下端側に使用者の腰近傍に固定する腰固定手段が設けられ、上端は共に前記カメラ台に固定される支持棒とを有するカメラ保持具である。
請求項２に記載の発明は、前記カメラ保持具において、前記棒体は畳むことが可能に形成されるものである。なお、本願における畳むとは折り畳むことのほか、部材を変形させてコンパクトにするとの意味が含まれる。
請求項３に記載の発明は、請求項２に記載のカメラ保持具において、前記棒体はパイプ体と当該パイプ体の内側に挿入される棒である挿入体を有し、挿入体がパイプ体に入ることで畳むことが可能に形成されるものである。
請求項４に記載の発明は、請求項２または３に記載のカメラ保持具において、前記棒体は途中で分断され、分断箇所の対向するそれぞれが互いに折り畳み可能に接合されることで折って畳むことが可能に形成されるものである。
請求項５に記載の発明は、請求項４に記載のカメラ保持具において、前記接合部は伸びる弾性体によって連結されることで折り畳み可能に接合されるものである。伸びる弾性体いは引張りバネやエラストマーが例示される。
請求項６に記載の発明は、請求項４または５に記載のカメラ保持具において、前記分断箇所の対向するそれぞれに、互いに折れ曲がらないように係合し合う係合部材と被係合部材が設けられるものである。【０００５】  請求項７に記載の発明は、前記カメラ台に使用者の首にかけるネックストラップが設けられるものである。
請求項８に記載の発明は、前記カメラ保持具において、前記前記腰固定手段は、使用者のベルト及び／又はズボンの上部開口縁を挟んで固定するものである。
請求項９に記載の発明は、請求項１から７に記載のカメラ保持具において、前記腰固定手段は、使用者のズボンのベルト通しに挿入することで固定するものである。
請求項１０に記載の発明は、請求項１から７に記載のカメラ保持具において、前記腰固定手段は、使用者のベルト及び／又はズボンの上部開口縁に形成される穴に挿入することで固定するものである。
請求項１１に記載の発明は、前記カメラ保持具において、前記カメラ台を雲台としたものである。
請求項１２に記載の発明は、請求項１１に記載のカメラ保持具において、前記雲台を自由雲台としたものである。
【発明の効果】
【０００６】  以上のような構成により本発明は、次のような効果を奏する。
請求項１に記載の発明は、二本の支持棒が下端で使用者の腰部近傍で固定され上端でカメラ台を支持することで、両支持棒を含む面内において支持棒の動きが拘束されるので、カメラ台が左右にぶれることを防止することができる。
請求項２に記載の発明は、棒体を畳むことで撮影しないときに、邪魔にならず携帯することができる。
請求項３に記載の発明は、棒体を入れ子にして伸縮可能にすることで畳む際に、棒が重ならずよりすっきりと畳むことができるとともに、伸縮量の調節を可能とすれば、カメラ台の高さを可変にすることが可能となる。
請求項４に記載の発明は、棒体を折り畳み可能とすることで、簡易な構造で作成でき、製造コストの低減に資することができる。
請求項５に記載の発明は、折り畳み可能な棒体の連結を伸びる弾性体とすることで、折れ曲がったときに分離せず、真っ直ぐにする場合に、弾性体の縮んで元に戻ろうとする力でより簡単に真っ直ぐな状態にすることができる。
請求項６に記載の発明は、折り畳み可能な棒体の連結部に係合部と被係合部を設けることで、真っ直ぐにした際に折れ曲がることを抑制でき、折り畳む際には係合を解くことで折り畳むことができる。【０００７】  請求項７に記載の発明は、ネックストラップによってカメラ台が使用者から離れる方向に倒れる動きを拘束できるので、カメラのぶれを更に抑制することができる。
請求項８に記載の発明は、支持棒下端側の固定を使用者のベルト及び／又はズボン上部開口縁に挟むだけで固定できるので、簡易かつ迅速に支持棒を使用者の腰部近傍に固定することができる。
請求項９に記載の発明は、支持棒下端側の固定を使用者のズボンのベルト通しに挿入により行なうことで、支持棒下端側が左右にずれることが抑制できるので、支持棒の固定を安定させることができる。
請求項１０に記載の発明は、支持棒下端側の固定を使用者のベルト及び／又はズボンの上部開口縁に形成される穴に挿入により行なうことで、やはり支持棒下端側が左右にずれることが抑制できるので、支持棒の固定を安定させることができる。
【図面の簡単な説明】
【０００８】
【図１】  実施形態に係るカメラ保持具の正面図である。
【図２】  実施形態に係るカメラ保持具のカメラ台近傍の背面側から見た拡大斜視図である。
【図３】  （ａ）は実施形態に係るカメラ保持具のジョイント部の正面側から見た拡大斜視図であり、（ｂ）は（ａ）の状態からジョイント部を分離した状態を示す拡大斜視図である。
【図４】  （ａ）は実施形態に係るカメラ保持具の腰部固定部近傍の拡大背面図であり、（ｂ）は当該腰部固定部近傍の拡大側面図である。
【図５】  （ａ）は実施形態に係るカメラ保持具の使用状態を示す正面図であり、（ｂ）は実施形態に係るカメラ保持具の使用状態を示す側面図である。
【図６】  実施形態に係るカメラ保持具を折り畳んだ状態を示す正面図である。
【図７】  （ａ）は変形例に係るカメラ保持具の正面図であり、（ｂ）は当該カメラ保持具を畳んだ状態を示す正面図である。
【図８】  （ａ）は変形例に係るカメラ保持具の上端近傍の正面図であり、（ｂ）は当該カメラ保持具の畳んだ状態における上端近傍の正面図である。
【図９】  変形例２に係るカメラ保持具の使用状態を表す側面図である。
【図１０】  （ａ）はジョイント部の変形例を示す拡大正面図であり、（ｂ）は当該ジョイント部のスリーブを上げた状態を示す拡大正面図である。
【図１１】  （ａ）は腰部固定部の変形例を示す拡大正面図であり、（ｂ）は当該腰部固定部の拡大平面図である。
【図１２】  （ａ）は腰部固定部の他の変形例を示す拡大正面図であり、（ｂ）は当該腰部固定部の拡大側面図である。
【図１３】  従来例を示す斜視図である。
【発明を実施するための形態】
【０００９】  以下、本発明の実施の形態について、図面を参照しながら説明する。図１は実施形態に係るカメラ保持具Ｘの正面図である。カメラ保持具Ｘはカメラ台１０、支持棒２０、腰部固定部３０とから構成される。
図２にカメラ台１０の背面側から見た拡大斜視図を示す。カメラ台１０は、自由雲台１１、棒保持体１２、連結板１３より構成される。自由雲台１１は一般的な自由雲台であり、カメラの底部に固定できるネジ部材をボールによって支持し、ボールを固定可能に形成することで任意の方向にカメラを向けて保持することができる。棒保持体１２は後述する支持棒２０の上部棒２１に嵌り保持する円筒体から構成される。棒保持体１２は左右に２つ設けられる。連結板１３は板体であって、下面で２の棒保持体１２を下方に向かって広がるような一定の角度で固定するとともに、上面で自由雲台１１の底面を固定している。
【００１０】  支持棒２０は、２本の棒体からなり、各棒体は途中で分断され上部棒２１、下部棒２２を形成する。上部棒２１と下部棒２２とはジョイント部２３により分離可能に連結されている。上部棒２１の上端は前述したようにカメラ台１０の棒保持体１２により保持固定されている。図３（ａ）にジョイント部２３近傍の拡大斜視図を示し、さらに、図３（ｂ）にジョイント部２３を上下に分離した状態を示す拡大斜視図を示す。ジョイント部２３は上部棒２１の下端に嵌って保持固定する円筒体からなる棒保持体２３ａ、下部棒２２の上端に嵌って保持固定する円筒体からなる棒保持体２３ｂ、棒保持体２３ａの下端に設けられる係合部２３ｃ、棒保持体２３ｂの上端に設けられる、係合部２３ｃに係合する被係合部２３ｂａ、係合部２３ｃと被係合部２３ｂａとをほぼ中心で連結する弾性体である引張りバネ２３ｆを有する。被係合部２３ｂａは筒体であり外面は上方に向かって外径が小さくなるように形成されている。係合部２３ｃは被係合部２３ｂａの外周面に嵌る内周面を有する筒体であり、係合部２３ｃと被係合部２３ｂａとが係合すると、互いに曲がらないように連結される。引張りバネ２３ｆは係合部２３ｃと被係合部２３ｂａとが連結された状態においても伸ばされた状態になるように固定され、連結された状態において係合部２３ｃと被係合部２３ｂａを互いに近づくように付勢している。係合部２３ｃにはやや下方に向く傾斜面を有する指掛け部２３ｄが設けられる。また、指掛け部２３ｄの下縁には切り欠き２３ｅが形成され、被係合部２３ｂａ上縁の、切り欠き２３ｅに対向する位置には切り欠き２３ｂｂが形成されている。切り欠き２３ｅ、２３ｂｂは引張りバネ２３ｆの外周が十分に入る大きさに形成され、上部棒２１と下部棒２２とがジョイント部２３位置で折れたときに、引張りバネ２３ｆが入るようになっている。
【００１１】  図４（ａ）に腰部固定部３０近傍の拡大背面図を示し、図４（ｂ）に腰部固定部３０の拡大側面図を示す。腰部固定部３０は、棒保持体３１、連結部材３２、クリップ３３、移動規制体３４、軸受け３５、軸保持部３６、回転軸３７を有する。棒保持体３１は前記下部棒２２の下端に嵌って保持固定する円筒体により形成される。連結部材３２は棒保持体３１の下端と軸保持部３６とを連結する棒体であって、斜めに傾いた棒支持体３１に対して軸保持部３６が真下に向くように固定する。クリップ３３は想定される使用者のベルトの厚さよりもやや狭い幅をもって対向する板体部分同士を上端で連結する構造を有する弾性を有する部材により形成される部材である。クリップ３３はベルトの上縁から押し入れることで弾性によってベルトを挟み、これによってベルトに保持固定することができる。なお、クリップ３３はズボンの上部開口縁に挟んだり、ベルトとズボンの上部開口縁を共に挟んだりするようにしてもよい。移動規制体３４はクリップ３４の側面に設けられる短い板体で、クリップ３３をベルトに挟んだときに、ベルト面を押すように位置づけられることで、クリップ３３がベルトに沿った方向に移動することを規制する。軸受け３５は、クリップの背面に立設された対向する２枚の板体であり、ネジにより形成される回転軸３７が通るネジ穴が形成されている。軸保持部３６は、軸受け３５に保持される回転軸３７を通る穴が形成された板体で、前述したように連結部材３２の下端に固定されている。軸保持部３６に形成される穴は、すり鉢状の穴が対向するように形成され、これにより、回転軸３７に対して軸保持部３６を所定範囲の角度で傾けることができるようになっている。
【００１２】  次に、以上のような構成を有するカメラ保持具Ｘの使用方法について説明する。図５（ａ）にカメラ保持具Ｘの使用状態を表す正面図を示し、図５（ｂ）に側面図を示す。まず、使用者はカメラ台１０の自由雲台１１にカメラＣを固定し、腰部固定部３０のクリップ３３をズボンのベルトに上部から嵌めて、狭持固定する。なお、固定に際してはカメラ保持具Ｘの正面側が使用者に向かうようにする。この状態で、カメラ台１０は支持棒２０のを構成する２本の棒体の両下端と上端を含む面内において動きが拘束されるので、左右のぶれを防止することができる。そして、前後のぶれを手で支持することで、カメラ台１１のゆれを抑制することができる。なお、図５に示すようにカメラＣのネックストラップＣｓを利用し、支持棒２０が前方に倒れようとする力を支持することで、前後のぶれをより確実に抑制することができる。この状態で撮影すれば、カメラ台１１に支持されるカメラＣの左右及び前後のぶれが抑制できる結果、撮像がぶれることを低減させることができる。
また、撮影しないときは、ジョイント部２３の指掛け部２３ｄに親指を当てて上方に押し上げると、係合部２３ｃが上方に移動し、係合部２３ｃと被係合部２３ｂａとの係合が解かれて、上部棒２１と下部棒２２とはジョイント部２３で折り曲げ可能となる。図６に図５の状態から支持棒２０を構成する棒体を折り曲げたときの正面図を示す。図に示すように支持棒２０を折り曲げるとカメラ保持具Ｘを邪魔にならないように畳むことができる。そして、ここからもとの状態に戻すには、上部棒２１を上方に持ち上げて下部棒２２とを長手方向に並ぶような状態とし、さらに、係合部２３ｃと被係合部２３ｂａとの間を少し空けるように引っ張る。これにより、係合部２３ｃと被係合部２３ｂａとの間は引張りバネ２３ｆにより互いにほぼ中心で引っ張られるので、係合部２３ｃと被係合部２３ｂａとがほぼ真っ直ぐ並んだ状態となり、ここで力を緩めるとバネ２３ｆの戻ろうとする力で係合部２３ｃと被係合部２３ｂａとが互いに引っ張られて係合状態に戻すことができる。
【００１３】（変形例）
図７（ａ）に変形例１に係るカメラ保持具Ｙの正面図を示す。カメラ保持具Ｙは、カメラ固定台１０ｒ、支持棒２０ｒがカメラ保持具Ｘと異なる。支持棒２０ｒは、上部棒２１ｒ、下部棒２２ｒを有するが、下部棒２２ｒはパイプ状になっているとともに、上部棒２１ｒは下部棒２２ｒの内径より若干小さい太さに形成され、下部棒２２ｒ内に挿入できるようになっている。ジョイント部２３ｒは、レバーを開くと挿入される上部棒２２ｒが下部棒２２ｒ内を自由に摺動でき、レバーを閉じると摩擦力によって上部棒２２ｒが下部棒２２ｒ内を摺動できないように固定する構造を有する、三脚の脚に使用される、いわゆる脚ロックが用いられている。図８（ａ）にカメラ台１０ｒ近傍の拡大正面図を示す。カメラ台１０ｒの棒支持体１２ｒは、連結板１３ｒに前後を通る回転軸１２ｒ１周りに回転可能に固定されるとともに、２つの棒支持体１２ｒには、当該回転軸１２ｒ１を回転軸とする、それぞれ互いに係合し合う扇状の歯車１２ｒ２、１２ｒ２が固定されている。歯車１２ｒ２、１２ｒ２により棒支持体１２ｒが拘束されることで、棒支持体１２ｒは正面視左右対称に回転動することとなる。これにより、腰部固定部３０の位置を変えずに、図７（ｂ）及び図８（ｂ）に示すように、上部棒２１ｒを下部棒２２ｒ内に収納して畳んだときに、上部棒２１ｒ同士の角度が少し開くこととなるが、歯車１２ｒ２、１２ｒ２に拘束されることによって上部棒２１ｒを固定する棒支持体１２ｒは左右対称に開くので、カメラ台１１に固定されるカメラの左右の角度が変わらず、上部棒２１ｒが下部棒２２ｒ内の任意の摺動位置で固定されても、カメラ台１０ｒが左右に回転動することを防ぐことができる。
【００１４】  図９に変形例２に係るカメラ保持具Ｚの使用状態を表す側面図を示す。カメラ保持具Ｚはカメラ台１０ｓにネックストラップ４０が設けられている。このようにカメラ台１０ｓにネックストラップ４０を設けることで、カメラに設けられているネックストラップに加わる力を低減させることによって自由雲台をずらす力を抑えることができるので、支持棒２０を傾ける力を強くしすぎることで自由雲台に固定されるカメラの角度が変わってしまうことを抑制することができる。
【００１５】  上記実施形態では、支持棒２０はジョイント部２３でバネ２３ｆで連結されることで折り曲がり可能に形成されているが、回転軸で上部棒と下部棒とを連結することで折り曲がり可能とすることもできる。図１０（ａ）にこのような構造を有するジョイント部２３ｔの拡大図を示す。ジョイント部２３ｔには上部棒２１ｔと下部棒２２ｔとの接合部に外周面から嵌り、上部棒２１ｔへと摺動するパイプ体であるスリーブ２４ｔが設けられる。スリーブ２４ｔを上部棒２１ｔ上方へ摺動させた状態を図１０（ｂ）に示す。図に示すように上部棒２１ｔと下部棒２２ｔとは、一本の棒を左右方向に面する鉛直面で分断した分断面によって分けられ、当該分断面において左右方向の回転軸２３ｔａによって回転可能に連結されている。これによって、下部棒２２ｔは回転軸２３ｔａ周りを回転して、想像線で示すように上方に折れ曲がることができる。なお、スリーブ２４ｔは下部棒２２ｔに設けられたフランジからなるスリーブ止め２４ｔａによって、図１０（ａ）の位置より下に下がらないようになっている。従って、撮影時には、図１０（ａ）の状態とすることで、スリーブ２４ｔによって下部棒２２ｔが折れ曲がることを規制し、撮影しない場合には図１０（ｂ）に示すようにスリーブ２４ｔａを上方へ上げることで、スリーブ２４ｔの規制を解除して、下部棒２２ｔを折って畳むことができる。
【００１６】  上記実施形態では腰部固定部３０はベルトやズボンの上部開口縁にクリップで引っ掛けることで固定しているが、ベルト通しに固定するような構造を採用することもできる。図１１（ａ）にこのような構造を有する腰部固定部３０ｕの正面図を示し、図１１（ｂ）に背面図を示す。腰部固定部３０ｕは上端にベルト通しＢｔの内側上端に引っ掛ける上部爪部３０ｕａを有し、下端にベルト通しＢｔの内側下端に引っ掛ける下部爪部３０ｕｂを有する。そして、上部爪部３０ｕａは回転可能に保持されるとともに圧縮バネ３０ｕｃにより上方へ付勢されている。これにより、ベルト通しＢｔに固定する際には、上部爪部３０ｕａを上方から押して圧縮バネ３０ｕｃを縮め、上部爪部３０ｕａと下部爪部３０ｕｂとの間隔を狭めることでベルト通しＢｔ内に挿入し、その後、圧縮バネ３０ｕｃを開放することで上部爪部３０ｕａと下部爪部３０ｕｂとの間隔を広げてベルト通しＢｔ内に固定することができる。
【００１７】  さらに、上記実施形態では腰部固定部３０はベルトやズボンの上部開口縁にクリップで引っ掛けることで固定しているが、ベルトやズボンの上部開口縁に設けた穴を用いて固定することもできる。図１２（ａ）にこのような構造を有する腰部固定部３０ｖの正面図を示し、図１２（ｂ）に側面図を示す。腰部固定部３０ｖはクリップ３３に代えて穴の開いた板からなる固定板３０ｖａを有し、固定板３０ｖａの穴とベルトＢに設けた穴とに皿ネジ３０ｖｂを通して、ボルト３０ｖｃを皿ネジに締結することで、ベルトＢに固定することができるよう形成されている。
【符号の説明】
【００１８】Ｘ、Ｙ、Ｚ  カメラ保持具
１０、１０ｒ、１０ｓ  カメラ台
１１  自由雲台
２０、２０ｒ、２０ｓ  支持棒
２３、２３ｒ、２３ｔ  ジョイント部
３０、３０ｕ、３０ｖ  腰部固定部
【図１】
2020122952.tif 000003
【図２】
2020122952.tif 000004
【図３】
2020122952.tif 000005
【図４】
2020122952.tif 000006
【図５】
2020122952.tif 000007
【図６】
2020122952.tif 000008
【図７】
2020122952.tif 000009
【図８】
2020122952.tif 000010
【図９】
2020122952.tif 000011
【図１０】
2020122952.tif 000012
【図１１】
2020122952.tif 000013
【図１２】
2020122952.tif 000014
【図１３】
2020122952.tif 000015